(57)【要約】本発明の目的は、測定結果を自動で保存することにより保存のし忘れを防ぎ、被試験器の不良が発生した際の試験手順を確認できるようにすることで、不良発生時の原因特定までの時間を短縮することが可能になる試験結果保存及び参照方法を提供することにある。本発明のシステム試験装置は、操作部と、表示部と、データベース部と、測定処理部と、通信インターフェース部を備えたシステム試験装置であって、通信インターフェース部は複数の測定器と複数の試験器が接続され、データベース部は試験項目データテーブルと、測定器データテーブルと試験結果を記憶し、測定処理部は試験結果判定部と試験判定部と測定器判定部と試験結果取得処理部と測定器処理部を有することを特徴とする。
2016035616.tif 000002
【特許請求の範囲】
【請求項１】
操作部と、表示部と、データベース部と、測定処理部と、通信インターフェース部を備えたシステム試験装置において、
前記通信インターフェース部は、複数の測定器と複数の試験器が接続され、
前記データベース部は、試験項目データテーブルと、測定器データテーブルと、試験結果を記憶し、
前記測定処理部は、試験結果判定部と、試験判定部と、測定器判定部と、試験結果取得処理部と、測定器処理部を有することを特徴とするシステム試験装置。
【請求項２】
操作部と、表示部と、データベース部と、測定処理部と、通信インターフェース部を備えたシステム試験装置の試験結果保存方法において、
前記通信インターフェース部に複数の測定器と複数の試験器が接続し、
前記試験器で被試験器の試験を行い、該試験結果を前記データベース部の試験結果部に記憶することを特徴とするシステム試験装置の試験結果保存方法。
【請求項３】
操作部と、表示部と、データベース部と、測定処理部と、通信インターフェース部を備えたシステム試験装置の試験結果参照方法において、
前記通信インターフェース部に複数の測定器と複数の試験器が接続し、
前記試験器で被試験器の試験を行い、該試験結果を前記データベース部の試験結果部に記憶し、
前記表示部は、前記試験結果を次回の試験時に表示して参照できることを特徴とするシステム試験装置の試験結果参照方法。
【発明の詳細な説明】
【技術分野】
【０００１】
本発明は、システム試験装置、試験結果保存方法、試験結果参照方法に関するものである。
【背景技術】
【０００２】
例えば、特許文献１は、故障装置とそれに対応する計測装置とを自動的に接続して性能試験を行い、試験結果に基づいて故障部位を特定する試験装置を開示する。
【先行技術文献】
【特許文献】
【０００３】
【特許文献１】特開平９−３０４１２９号公報
【発明の概要】
【発明が解決しようとする課題】
【０００４】
本発明の目的は、測定結果を自動で保存することにより保存のし忘れを防ぎ、被試験器の不良が発生した際の試験手順を確認できるようにすることで、不良発生時の原因特定までの時間を短縮することが可能になる試験結果保存及び参照方法を提供することにある。
【課題を解決するための手段】
【０００５】
本発明のシステム試験装置は、操作部と、表示部と、データベース部と、測定処理部と、通信インターフェース部を備えたシステム試験装置であって、通信インターフェース部は複数の測定器と複数の試験器が接続され、データベース部は試験項目データテーブルと、測定器データテーブルと試験結果を記憶し、測定処理部は試験結果判定部と試験判定部と測定器判定部と試験結果取得処理部と測定器処理部を有することを特徴とする。【０００６】
また、本発明のシステム試験装置の試験結果保存方法は、操作部と、表示部と、データベース部と、測定処理部と、通信インターフェース部を備えたシステム試験装置の試験結果保存方法であって、通信インターフェース部に複数の測定器と複数の試験器が接続し、試験器で被試験器の試験を行い、該試験結果をデータベース部の試験結果部に記憶することを特徴とする。【０００７】
さらに、本発明のシステム試験装置の試験結果参照方法は、操作部と、表示部と、データベース部と、測定処理部と、通信インターフェース部を備えたシステム試験装置の試験結果参照方法であって、通信インターフェース部に複数の測定器と複数の試験器が接続し、試験器で被試験器の試験を行い、該試験結果をデータベース部の試験結果部に記憶し、記表示部は試験結果を次回の試験時に表示して参照できることを特徴とする。
【発明の効果】
【０００８】
本発明によれば、被試験器の不良が発生した際の試験手順を確認できるようになる。
また、不良発生時の原因特定までの時間を短縮することが可能になる。
【図面の簡単な説明】
【０００９】
【図１】本発明の一実施例に係るシステム試験装置の構成例を示す図である。
【図２】本発明の一実施例に係るシステム試験装置のハードウェア構成例を示す図である。
【図３】本発明の一実施例に係るシステム試験装置の表示部に表示する試験画面内容を説明するための図である。
【図４】本発明の一実施例に係るシステム試験装置の表示部に表示する試験終了時保存確認画面内容を説明するための図である。
【図５】本発明の一実施例に係るシステム試験装置の表示部に表示する保存画面内容を説明するための図である。
【図６】本発明の一実施例に係るシステム試験装置の表示部に表示する試験結果詳細画面内容を説明するための図である。
【図７】本発明の一実施例に係るシステム試験装置の動作を説明するための保存シーケンス図である。
【図８】本発明の一実施例に係るシステム試験装置の表示部に表示する再試験時の試験結果詳細画面内容を説明するための図である。
【図９】本発明の一実施例に係るシステム試験装置の試験記録ファイル内容を説明するための図である。
【図１０】本発明の一実施例に係るシステム試験装置の試験結果ファイル内容を説明するための図である。
【図１１】本発明の一実施例に係るシステム試験装置の表示部に表示する試験結果参照画面内容を説明するための図である。
【発明を実施するための形態】
【００１０】
以下、本発明の一実施例について図面を用いて説明する。
図１は本発明の一実施例に係るシステム試験装置の構成例を示す図である。
図１において、システム試験装置１００は、データベース部１１０と、測定処理部１２０と、操作部１３０と、表示部１４０と、通信インターフェース（通信Ｉ／Ｆ）部１５０で構成されている。
【００１１】
データベース部１１０は、詳細試験項目データテーブル１１１と、測定器データテーブル１１２と、試験結果記憶部１１３等で構成されている。
測定処理部１２０は、試験項目判定部１２１と、詳細試験判定部１２２と、測定器判定部１２３と、結果取得処理部１２４と、測定器処理部１２５等で構成されている。
【００１２】
システム試験装置１００は、通信Ｉ／Ｆ部１５０を介して、汎用測定器群１６０と、各専用の試験器群１７０と接続されている。
汎用測定器群１６０と各専用の試験器群１７０は、後述の図２に示す被試験器２４０−１〜２４０−３等と接続されている。
【００１３】
次に、本発明の一実施例であるシステム試験装置のハードウェア構成について説明する。
図２は本発明の一実施例に係るシステム試験装置のハードウェア構成例を示す図である。
図２において、システム試験装置のハードウェア構成は、操作表示部２０１−１〜２０１−Ｘ（Ｘは整数）と、汎用測定器群１６０と、各専用の試験器群１７０と、信号切替器２３０と、被試験器２４０−１〜２４０−３である。
操作表示部２０１−１〜２０１−Ｘは、ＬＡＮ（Local  Area  Network）等で接続されている。
操作表示部２０１−１〜２０１−Ｘ（Ｘは整数）と、汎用測定器群１６０と、各専用の試験器群１７０と、信号切替器２３０は、ＧＢ−ＩＢ／ＲＳ−２３２Ｃ／ＬＡＮ等で接続されている。
なお、操作表示部２０１−１〜２０１−Ｘは、図１の操作部１３０と表示部１４０の機能を備えたものであり、例えば、タッチパネル等である。
【００１４】
汎用測定器群１６０は、標準信号発生器１６１や位相検波器１６２等である。
各専用の試験器群１７０は、専用試験器ＡＡＡ１７１や専用試験器ＢＢＢ１７２等である。
【００１５】
次に、本発明の一実施例であるシステム試験装置の表示部に表示する内容について説明する。
図３は本発明の一実施例に係るシステム試験装置の表示部に表示する試験画面内容を説明するための図である。
図３において、表示部１４０または操作表示部２０１−１〜２０１−Ｘには、試験開始ボタン３１０があり、試験開始ボタン３１０を押下すると、試験を開始し、試験結果を一覧表として表示する。試験結果を保存する場合は結果保存ボタン３２０を押下する。
測定結果一覧表は、例えば、測定項目、要求基準、前回測定値、測定値、判定結果等である。
図３は、被試験器名である機材名を表示する。例えば、ＡＢＣ無線機等である。機材名の他に製造番号等の識別番号を表示してもよい。
前回測定値は、今回の測定値に対して参照できるものであり、要求基準を満たしていない項目にはハッチングや色付け等で強調している。
【００１６】
図４は本発明の一実施例に係るシステム試験装置の表示部に表示する試験終了時保存確認画面内容を説明するための図である。
図４の画面は、試験終了時に表示するもので、「結果を保存しますか？」が表示されるため、システム試験装置の操作者は「はい」または「いいえ」を押下する。「いいえ」を押下した場合でも、後から「保存」ボタンを押下することにより、試験結果を保存することができる。
【００１７】
図５は本発明の一実施例に係るシステム試験装置の表示部に表示する保存画面内容を説明するための図である。
図５の保存画面は、例えば、試験実施日の日付：2014/1/27、試験時刻：16：39、作業者：作業員Ａが表示される。
システム試験装置の操作者は「保存」または「中止」を押下する。「保存」を押下すると表示内容を保存できる。「中止」を押下すると次の画面が表示される。
【００１８】
図６は本発明の一実施例に係るシステム試験装置の表示部に表示する試験結果詳細画面内容を説明するための図である。
操作者がシステム試験装置を操作することにより、表示部に図６の内容が表示される。「戻る」を押下することにより、元の画面に戻る。
【００１９】
次に、図７を用いて本発明の一実施例に係るシステム試験装置の動作について説明する。
図７は本発明の一実施例に係るシステム試験装置の動作を説明するための保存シーケンス図である。
【００２０】
図７（Ａ）は通常試験時のシーケンス図である。
機材選択時（７２１）、操作部１３０からデータベース部１１０に対して機材選択通知を行う（７０１）。
この時、データベース部１１０は、試験記録ファイルに機材選択情報として、機材選択時刻、被試験器名称、詳細情報(製造番号等)を記録する。
試験記録ファイルは、日付毎に管理しており、試験開始時に当日の試験記録ファイルが無い場合は、新規に作成し、既にファイルがある場合は、既存のファイルを使用する。
【００２１】
試験開始時、操作部１３０から測定処理部１２０に対して試験開始の指示を行い（７０２）、それと同時にデータベース部１１０に対しても試験開始の指示を行い（７０３）、試験結果テーブルをクリアする。
この時、データベース部１１０は試験記録ファイルに試験開始情報として、試験開始時刻、被試験器名称を記録する（７２２）。
【００２２】
続いて、操作部１３０から測定処理部１２０に対して試験項目番号と試験実施指示を行う（７０４）。
測定処理部１２０は、試験項目番号に対応する試験手順（経路設定、測定器設定、測定値取得等）を実施し、試験結果と良否判定を表示部１４０とデータベース部１１０へ通知する（７０５）（７０６）。
【００２３】
試験結果と良否判定を受け取った表示部１４０は、画面に試験結果と良否判定を表示し、データベース部１１０は、結果保存用テーブルの試験項目に対応する場所に試験結果と良否判定を保存する（７２３）。
続いて試験する項目がある場合は、（７０７）から（７０９）を繰り返す。
【００２４】
選択した試験が全て終了したら、操作部１３０から測定処理部１２０に対して試験終了の指示を行い（７１０）、それと同時にデータベース部１１０に対しても試験終了の指示を行う（７１１）。
試験終了を受け取ったデータベース部１１０は、被試験器名称、詳細情報、試験終了時刻を基に試験結果ファイルを作成し、試験開始時間／試験終了時間、試験結果テーブルの内容を保存する（７２５）。
【００２５】
（試験結果の自動保存）   試験記録ファイルには試験終了情報として、試験終了時刻と試験全体の良否情報、結果ファイル名を記録する。
再度試験を行う場合は、（７０２）から（７２５）の動作を繰り返す。
機材選択解除時、操作部１３０からデータベース部１１０に対して機材選択解除通知を行う（７１２）。
この時、データベース部１１０は試験記録ファイルに機材選択解除情報として、機材選択解除時刻、被試験器名称を記録する（７２６）。
【００２６】
図７（Ｂ）は一部再試験時のシーケンス図である。
試験開始時、操作部１３０は測定処理部１２０に対して試験開始の指示を行い（７５１）、それと同時にデータベース部１１０に対しても試験開始の指示を行い（７５２）、試験結果テーブルをクリアする（７６１）。
【００２７】
操作部１３０は、測定処理部１２０に対して試験項目番号と試験実施指示を行う（７５３）。
測定処理部１２０は、試験項目番号に対応する試験手順（経路設定、測定器設定、測定値取得等）を実施し、試験結果と良否判定を表示部１４０とデータベース部１１０へ通知する（７５４）（７５５）。
データベース部１１０は、試験結果テーブルに試験結果をセットする（７６２）。
【００２８】
試験終了時、操作部１３０は測定処理部１２０に対して試験終了の指示を行う（７５６）と共にデータベース部１１０に試験結果の保存を指示する（７５７）。
データベース部１１０は、被試験器名称、詳細情報、試験終了時刻を基に試験結果ファイルを作成し、試験開始時間／試験終了時間、試験結果テーブルの内容を保存する（７６２）。
【００２９】
図８は本発明の一実施例に係るシステム試験装置の表示部に表示する再試験時の試験結果詳細画面内容を説明するための図である。
再試験終了時、表示部１４０は測定結果一覧表を表示する。
測定結果一覧表は、例えば、測定項目、要求基準、測定値、判定結果等である。
【００３０】
図９は本発明の一実施例に係るシステム試験装置の試験記録ファイル内容を説明するための図である。
試験記録ファイルは、測定時刻、試験状態、機器名、判定の良否、結果ファイル名等である。
試験状態は、ＳＥＬＥＣＴが機材選択、ＥＮＤが機材選択解除、ＳＴＡＲＴが試験開始、ＳＴＯＰが試験終了等である。
【００３１】
図１０は本発明の一実施例に係るシステム試験装置の試験結果ファイル内容を説明するための図である。
試験結果ファイルは、測定日、試験開始時間、試験終了時間、試験良否判定結果、試験結果等である。
【００３２】
次に、試験結果の表示内容について図１１を用いて説明する。
図１１は本発明の一実施例に係るシステム試験装置の表示部に表示する試験結果参照画面内容を説明するための図である。
試験の流れの表示は、試験の流れが判れば、チャートやシーケンス、グラフ等でも構わない。
時間については、厳密に表示しなくてもよい。
【００３３】
試験結果の日付を指定し、その日付に対応した図９の試験記録ファイルを読み込む。
試験記録ファイル内に保存されている機材選択時間、機材選択解除時間、被試験器名称より、機材選択期間を表示する（１１０５）。
次に試験記録ファイル内に保存されている試験開始時間、試験終了時間、被試験器名称より試験実施期間を表示する。この時、試験全体の良否情報により試験実施期間の表示色を変えてもよい（１１０２）。
【００３４】
前の試験実施期間と次の試験実施期間の間は、一旦終了したことが判るような表示とする（１１０５）。
試験実施期間をマウス等で選択し、クリックやボタンを押下することで、試験結果ファイルの詳細な内容を表示する（１１０４）。
【００３５】
本発明の一実施例を行うことにより、試験終了のタイミングで自動的に結果ファイルを作成して保存を行うことで保存し忘れるということは無くなる。
保存ボタンによる試験結果保存の利便性もあるので、ボタンによる保存の機能は残しておく。
また、本発明の一実施例を実施することにより、一回の試験毎に試験結果ファイルを分け、時系列で表示することで、どのような手順で試験を行ったかを図８に示すように確認することができるようになる。
さらに、本発明の一実施例を実施することにより、試験開始時間と試験終了時間が表示されるので、不良発生時の手順や、現象を再現させるための情報として使用することができる。
【００３６】
（発明の効果）   本発明の実施形態であるシステム試験装置は、被試験器の不良が発生した際の試験手順を確認できるようになる。また、不良発生時の原因特定までの時間を短縮することが可能になる。
【００３７】
以上本発明について詳細に説明したが、本発明は、ここに記載されたシステム試験装置に限定されるものではなく、上記以外のシステム試験装置に広く適用することができることは言うまでもない。
この出願は２０１４年９月１日に出願された日本出願特願２０１４−１７７００１を基礎として優先権の利益を主張するものであり、その開示の全てを引用によってここに取り込む。
【産業上の利用可能性】
【００３８】
本発明は、システム試験装置、試験結果保存方法、試験結果参照方法に関し、利用することができ、また、上記以外のシステム試験装置に広く適用することができるものである。
【符号の説明】
【００３９】
１００：システム試験装置、１１０：データベース部、１２０：測定処理部、１３０：操作部、１４０：表示部、１５０：通信インターフェース部、１６０：汎用測定器群、１７０：各専用の試験器群。
【図１】
2016035616.tif 000003
【図２】
2016035616.tif 000004
【図３】
2016035616.tif 000005
【図４】
2016035616.tif 000006
【図５】
2016035616.tif 000007
【図６】
2016035616.tif 000008
【図７】
2016035616.tif 000009
【図８】
2016035616.tif 000010
【図９】
2016035616.tif 000011
【図１０】
2016035616.tif 000012
【図１１】
2016035616.tif 000013
【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
操作部と、表示部と、データベース部と、測定処理部と、通信インターフェース部を備えたシステム試験装置において、
前記通信インターフェース部は、複数の測定器と複数の試験器が接続され、
前記データベース部は、試験項目データテーブルと、測定器データテーブルと、試験結果を記憶し、
前記測定処理部は、試験結果判定部と、試験判定部と、測定器判定部と、試験結果取得処理部と、測定器処理部を有し、
前記複数の測定器と複数の試験器を任意に経路設定して被試験器の試験を行い、
該試験結果を前記データベース部に試験結果を記憶するシステム試験装置であって、
前記被試験器の試験は、複数の機材を選択し、
該選択した複数の機材の経路を設定し、
該経路設定したデータ、及び、試験の実施期間に関するデータを記憶し、表示することができる
ことを特徴とするシステム試験装置。
【請求項２】
操作部と、表示部と、データベース部と、測定処理部と、通信インターフェース部を備えたシステム試験装置の試験結果保存方法において、
前記通信インターフェース部に複数の測定器と複数の試験器が接続し、
前記試験器で被試験器の試験を行い、該試験結果を前記データベース部の試験結果部に記憶する試験結果保存方法であって、
前記複数の測定器と複数の試験器を経路設定して被試験器の試験を行い、
該試験結果を前記データベース部に試験結果を記憶し、
前記被試験器の試験は、複数の機材を選択し、
該選択した複数の機材の経路を設定し、
該経路設定したデータ、及び、試験の実施期間に関するデータを記憶する
ことを特徴とするシステム試験装置の試験結果保存方法。
【請求項３】
操作部と、表示部と、データベース部と、測定処理部と、通信インターフェース部を備えたシステム試験装置の試験結果参照方法において、
前記通信インターフェース部に複数の測定器と複数の試験器が接続し、
前記試験器で被試験器の試験を行い、該試験結果を前記データベース部の試験結果部に記憶し、
前記表示部は、前記試験結果を次回の試験時に表示して参照できるシステム試験装置であって、
前記被試験器の試験は、複数の機材を選択し、
該選択した複数の機材の経路を設定し、
該経路設定したデータ、及び、試験の実施期間に関するデータを記憶し、表示することができる
ことを特徴とする試験結果参照方法。
【国際調査報告】
2016035616.tif 000014
2016035616.tif 000015